(57)【要約】【課題】  良好に編集効果を確認できる画像編集装置を提供する。【解決手段】  画像入力端子２４から入力された画像信号は、同期検出回路１５により同期信号が検出され、検出された同期信号はタイミングＣＴＬ１４へ、入力された画像信号は信号処理回路１１、及び画像合成出力回路１３へそれぞれ供給される。信号処理回路１１に供給された画像信号は、操作部１６からの制御に基づき編集された後１／２ラインメモリ１２へ供給される。画像合成出力回路１３へそれぞれ供給された入力画像信号、及び編集画像信号は操作部１６からの制御に基づき１画面を分割して入力画像信号、及び編集画像信号が並んで表示された見比べ画面として編集画像モニタ出力端子２１から出力するようにする。【選択図】      図１
2006157350.tif 000002
【特許請求の範囲】
【請求項１】
編集処理前の画像信号と編集処理後の画像信号とを、1の画面内で分割して同時に表示するための画像信号出力機能を備えた画像編集装置であって、
前記編集処理前の画像信号に対し所望の画像編集を行う画像処理部と、
前記編集処理前の画像信号が一方の入力として供給され、前記画像処理部より出力される前記編集処理後の画像信号が他方の入力として供給される画像合成出力回路と、
前記画像信号の分割表示を行う際、分割の開始タイミングを前記画像合成出力回路に供給するタイミング回路と、
を有し、前記画像合成出力回路から前記編集処理前の画像信号と前記編集処理後の画像信号とを1の画面内で分割して同時に表示するよう外部の画像表示装置に送出可能なようにしたことを特徴とする画像編集装置。
【発明の詳細な説明】
【技術分野】
【０００１】
本発明は、画像編集装置に関し、特に複数の画像を並べて表示する画像編集装置に関する。
【背景技術】
【０００２】
従来より、自動的に画質調整を行なうことができるようになされているテレビジョン受像機が提案されている。例えば、画面の中に暗い部分があり、かつ強く明るい部分があるような映像画面では、その全体的な明るさを高くなるように自動的にコントロールし、暗い部分が黒浮きしないような画質にする。また、暗い部分が少なく、かつ、濃い色がある画面では、画面全体の明るさを色の強さに応じて高くし、全体的に華やかな画面を自動調整する。以上のような画質調整は理論的に確立されたものではないが、一般にフアジーな推論により決められるものであり、上記の他に、コントラスト調整、色合い、シャープネスコントロール、ノイズリダクション、等が画質調整の対象とされている。
【０００３】
しかしながら、このようなテレビ受像機の画面を見て、上述のフアジーなＡＩ（Artificial Intelligence）信号処理を行なった画面と、ＡＩ信号処理を行なわない画面（標準画面）を、一般のユーザが識別して認識することは困難であり、極端な場合は、ＡＩ信号処理を行なわないときの方が良く見えると感じる場合がある。そのため、一般のユーザはこのＡＩ機能を理解することができず、ＡＩ機能を有するテレビジョン受像機の商品価値が理解できないという問題があり、ＡＩ信号処理を行なう回路手段が、１フイールド画面の所定時間内で中断できるコントロール手段を設け、この中断期間内ではＡＩ処理を行なっていない標準の画面が見られるようにしたものである（例えば、特許文献１参照。）。
【０００４】
同様に、画像に何らかの効果を施し編集する画像編集装置においても、元画像と画像処理を行った画像との比較を行う場合、画像表示装置を複数用意し夫々の画像を表示する必要がある。この問題を解決するため、複数の画像を画像表示装置に並べて画面表示し見比べができるようにした画像編集装置が提案されている。これには、表示する画面の部位を指定する機能を備えているものである。（例えば、特許文献２参照。）。
【０００５】
【特許文献１】特開平５−２０７３９９号公報
【特許文献２】特開２００２−２０９０８８公報
【０００６】
ところで、上述の特許文献１の提案によれば信号処理を行わない画面と信号処理を行った画面を１の画面内の所望のタイミングで切り換え表示できるが、画面内を水平、あるいは垂直方向に分割し夫々表示するものであり、特定の画像をユーザが見比べようとすることはできないという問題があった。また、切り換えの部分において信号処理も切り換えるので画面内にマスク部分が発生してしまい画像の品位が低下してしまうという問題があった。
【０００７】
上述の特許文献２によれば、複数の画像表示装置を必要とせず、複数の画像を１の画像表示装置に並べて画面表示し見比べができるようにしており、さらに比較しやすいように変倍できる構成のものが提案されている。しかしながら、複数の画面を並べて表示するため、画像の視認性が低下してしまうという問題がある。そのため変倍の機能を備えているが、この場合表示画面の画質が画像編集装置に起因する効果であるのか、変倍の機能に起因するものであるのかといった新たな問題が発生してしまうものであった。
【発明の開示】
【発明が解決しようとする課題】
【０００８】
本発明は、以上の点に鑑みなされたもので、１の表示装置の画面に入力画像信号と編集画像信号とを並べて見比べ表示するようにし、良好に編集効果を確認できる画像編集装置を提供することを目的とする。
【課題を解決するための手段】
【０００９】
本発明は、上記課題を解決するために、以下に記載の手段よりなる。
すなわち、
編集処理前の画像信号と編集処理後の画像信号とを、1の画面内で分割して同時に表示するための画像信号出力機能を備えた画像編集装置であって、
前記編集処理前の画像信号に対し所望の画像編集を行う画像処理部と、
前記編集処理前の画像信号が一方の入力として供給され、前記画像処理部より出力される前記編集処理後の画像信号が他方の入力として供給される画像合成出力回路と、
前記画像信号の分割表示を行う際、分割の開始タイミングを前記画像合成出力回路に供給するタイミング回路と、
を有し、前記画像合成出力回路から前記編集処理前の画像信号と前記編集処理後の画像信号とを1の画面内で分割して同時に表示するよう外部の画像表示装置に送出可能なようにしたことを特徴とする画像編集装置。
【発明の効果】
【００１０】
本発明の「画像編集装置」によれば、１の表示装置の画面に入力画像信号と編集画像信号とを並べて見比べ表示するようにしたので、表示装置を複数台用意する必要がなく、また表示装置間の特性、調整の差異といった問題を考慮する必要がない画像編集装置を提供することができる。
また、変倍操作等を行わずに表示を行うものであり、変倍回路等、所望の画像処理以外の画像特性の変化の影響を受けることなく編集効果を確認できる画像編集装置を提供することができる。
【発明を実施するための最良の形態】
【００１１】
以下、本発明に係る画像編集装置の発明を実施するための最良の形態につき、好ましい実施例により説明する。
【実施例１】
【００１２】
図１は本実施例に適用される画像編集装置の主要部の構成を示した概略ブロック図である。同図に示すように画像編集装置１０は、信号処理回路１１、１／２ラインメモリ１２、画像合成出力回路１３、タイミングコントロール手段（以下、タイミングＣＴＬと記す）１４、同期検出回路１５、操作部１６、画像入力端子２４、元画像信号出力端子２２、編集画像信号出力端子２３、編集画像モニタ出力端子２１から構成されている。
【００１３】
まず、画像信号の処理について説明する。画像入力端子２４から入力された画像信号は、同期検出回路１５により同期信号が検出され、検出された同期信号はタイミングＣＴＬ１４へ、入力された画像信号は信号処理回路１１、及び画像合成出力回路１３へそれぞれ供給される。また、画像合成出力回路１３へ供給される画像を分岐させ、元画像信号出力端子２２から出力させる。
【００１４】
信号処理回路１１に供給された画像信号は、操作部１６からの制御に基づき色合い、コントラスト、シャープネス、ブライトネス調整等を行ない１／２ラインメモリ１２へ供給される。１／２ラインメモリ１２から出力された画像信号は、編集画像信号出力端子２３、及び画像合成出力回路１３へそれぞれ供給される。編集画像信号出力端子２３からは、信号処理された編集画像が出力される。
【００１５】
画像合成出力回路１３へそれぞれ供給された入力画像信号、及び編集画像信号は操作部１６からの制御に基づき、タイミングＣＴＬ１４により選択切り換えがなされ１画面を分割して入力画像信号、及び編集画像信号が並んで表示された見比べ画面として編集画像モニタ出力端子２１から出力される。
【００１６】
次に、図２を用いて編集画像モニタ出力端子２１から出力される画像信号のタイミングについて説明する。同図（ａ）は入力画像、（ｂ）は信号処理された編集画像、（ｃ）は入力画像信号、及び編集画像信号が並んで表示された見比べ画面として編集画像モニタ出力を示している。最も簡単な構成例としては、入力画像（ａ）の切り出し開始位置をＳＴ１、切り出し終了位置をＥＮＤ１としＳＴ１からＥＮＤ１までの時間を水平方向１／２ライン幅とする。信号処理された編集画像（ｂ）は、このＳＴ１に相当するＳＴ２を切り出し開始位置とし同様に水平方向１／２ライン幅後の位置を切り出し終了位置をＥＮＤ２とする。
【００１７】
画像合成出力回路１３では、ＳＴ１の位置を画像の開始位置として同期信号を生成する。この画像の開始位置から順次ＳＴ１，ＥＮＤ１，ＳＴ２，ＥＮＤ２のタイミングで画像信号を合成する。また、１／２ラインメモリ１２はＳＴ２，ＥＮＤ２をそれぞれ書き込み開始として１／２ライン遅延を行わせる。
【００１８】
ＳＴ１に相当する画面上のタイミングをＳＴ２とすることにより、画面中央で分割され入力位置から同タイミングの入力画像及び編集画像を１枚の画像として画像モニタ出力として得ることができる。（ｃ）では説明のため中央にマーカ線が挿入されているが、これは区別するために挿入してしなくてもよい。
【００１９】
また、図２の画面を得るためには、ＳＴ１のタイミングが決定されればよいので操作部１６からはＳＴ１のみを入力する構成にしてもよい。図１の構成の場合、画像入力位置からＳＴ１の方がＳＴ２より入力位置に近いタイミングであればどこの位置にＳＴ１を選択してもよい。
【００２０】
さらには、ＳＴ１からＥＮＤ１、ＳＴ２からＥＮＤ２のタイミング長は水平方向１／２ライン幅である必要はなく、より短かいタイミング長として構成してもよい。
【実施例２】
【００２１】
図３を用いて実施例２について説明する。図１の構成では、画面上入力画像信号の後編集画像信号が並んで表示される。すなわち、画面開始位置側から編集画像信号を表示することができない。図３に示すように、実施例２に適用される画像編集装置２０は、画像合成出力回路１３へ供給される入力画像信号側に１／２ラインメモリ１２を設ける構成である。回路の動作については図２（ｃ）における入力画像信号と編集画像信号との表示順序が逆になるようにしている。他の動作については実施例１に同様である。
【００２２】
なお、上述の各実施例は遅延のための１／２ラインメモリを入力画像信号側、あるいは編集画像信号側のいずれかに設ける構成としたが、１／２ラインメモリ前段に選択回路を設け、遅延させる画像信号を切り換えられるよう構成することで、画面前半に表示する画像を入力画像信号側、あるいは編集画像信号側いずれも選択可能な画像編集装置となる。
また、上述の各実施例は遅延のためのメモリを水平方向１／２ライン幅としたが、入力画像信号と編集画像信号との経路にそれぞれ１ラインメモリを設け部分的に入力画像信号と編集画像信号とを合成するよう構成してもよい。
【００２３】
上述の説明のように、１の表示装置の画面に入力画像信号と編集画像信号とを並べて見比べ表示するようにしたので、表示装置を複数台用意する必要がなく、また表示装置間の特性、調整の差異といった問題を考慮する必要がない。
また、変倍操作をせずに表示を行うものであり、変倍回路等、所望の画像処理以外の画像特性の変化の影響を受けることなく編集効果を確認できる画像編集装置を実現できる。
【図面の簡単な説明】
【００２４】
【図１】実施例１に適用される画像編集装置の主要部の構成を示した概略ブロック図である。
【図２】編集画像モニタ出力の画像信号のタイミングを示した図である。
【図３】実施例２に適用される画像編集装置の主要部の構成を示した概略ブロック図である。
【符号の説明】
【００２５】
１０，２０…画像編集装置
１１…信号処理回路
１２…１／２ラインメモリ
１３…画像合成出力回路
１４…タイミングＣＴＬ
１５…同期検出回路
１６…操作部
２１…編集画像モニタ出力端子
２２…元画像信号出力端子
２３…編集画像信号出力端子
２４…画像入力端子
【図１】
2006157350.tif 000003
【図２】
2006157350.tif 000004
【図３】
2006157350.tif 000005